(57)【要約】 【課題】高精度にアクチュエータを動作させることができるシャッタ用アクチュエータ駆動回路の提供。【解決手段】このシャッタ用アクチュエータ駆動回路１は、起動信号により基準クロックを分周した分周クロックのカウントを開始するカウンタ１２と、そのカウンタの出力に対応し、徐々に階段状に増加する変換電圧ＶＤＡＣを出力するＤ／Ａ変換器１３と、起動直後はシャッタ用アクチュエータ８のコイル電流ＩＬの値に対応するコイル電流検出電圧ＶＤＥＴと変換電圧ＶＤＡＣを比較し、変換電圧ＶＤＡＣがコイル電流ＩＬの上限値に対応するコイル電流制限用基準電圧ＶＲＥＦに一致した後はコイル電流検出電圧ＶＤＥＴとコイル電流制限用基準電圧ＶＲＥＦとを比較し、その差を増幅した電圧を出力するコイル電流制御増幅器１５と、コイル電流制御増幅器１５の増幅出力電圧に応じてシャッタ用アクチュエータ８の駆動電流を出力する駆動電流出力回路１６と、を備える。【選択図】  図１
2005352430.tif 000002
【特許請求の範囲】
【請求項１】
起動信号により基準クロックを分周した分周クロックのカウントを開始するカウンタと、
そのカウンタの出力に対応し、徐々に階段状に増加又は減少する変換電圧を出力するＤ／Ａ変換器と、
起動直後はシャッタ用アクチュエータのコイル電流の値に対応するコイル電流検出電圧とＤ／Ａ変換器の変換電圧を比較し、Ｄ／Ａ変換器の変換電圧がコイル電流の上限値に対応するコイル電流制限用基準電圧に一致した後はコイル電流検出電圧とコイル電流制限用基準電圧とを比較し、その差を増幅した電圧を出力するコイル電流制御増幅器と、
コイル電流制御増幅器の増幅出力電圧に応じてシャッタ用アクチュエータの駆動電流を出力する駆動電流出力回路と、
を備えてなることを特徴とするシャッタ用アクチュエータ駆動回路。
【請求項２】
請求項１に記載のシャッタ用アクチュエータ駆動回路において、
前記コイル電流制御増幅器は、コイル電流検出電圧、コイル電流制限用基準電圧、Ｄ／Ａ変換器の変換電圧が入力され、コイル電流制限用基準電圧とＤ／Ａ変換器の変換電圧のいずれかとコイル電流検出電圧とを比較するものであることを特徴とするシャッタ用アクチュエータ駆動回路。
【請求項３】
請求項１に記載のシャッタ用アクチュエータ駆動回路において、
前記カウンタは、コイル電流制限用基準電圧に対応する値に一致すると、Ｄ／Ａ変換器の変換電圧をコイル電流制限用基準電圧とするようにその値を保持するものであり、
前記コイル電流制御増幅器は、コイル電流検出電圧とＤ／Ａ変換器の変換電圧を入力してそれらを比較するものであることを特徴とするシャッタ用アクチュエータ駆動回路。
【請求項４】
請求項１乃至３のいずれかに記載のシャッタ用アクチュエータ駆動回路において、
前記カウンタに入力される分周クロックの分周比の選択を行う分周比選択回路を更に備えてなることを特徴とするシャッタ用アクチュエータ駆動回路。
【請求項５】
請求項１乃至４のいずれかに記載のシャッタ用アクチュエータ駆動回路と、
シャッタ用アクチュエータ駆動回路により駆動されシャッタを作動させるシャッタ用アクチュエータと、
シャッタ用アクチュエータのコイル電流を検出して前記コイル電流検出電圧をシャッタ用アクチュエータ駆動回路に出力するコイル電流検出素子と、
を備えてなることを特徴とするシャッタ用アクチュエータ装置。
【発明の詳細な説明】
【技術分野】
【０００１】
本発明は、デジタルカメラなどにおいてシャッタ用アクチュエータを駆動するシャッタ用アクチュエータ駆動回路及びそれを用いたシャッタ用アクチュエータ装置に関する。
【背景技術】
【０００２】
従来、この種のシャッタ用アクチュエータ装置として、例えば特許文献１に開示されたものが知られており、それと同様なシャッタ用アクチュエータ装置を図４に示す。このシャッタ用アクチュエータ装置は、シャッタ用アクチュエータ駆動回路１０１と、シャッタ用アクチュエータ駆動回路１０１により駆動されてシャッタ（図示せず）を作動させるシャッタ用アクチュエータ８と、シャッタ用アクチュエータ８のコイル電流ＩＬを検出し、コイル電流ＩＬの値に対応するコイル電流検出電圧ＶＤＥＴをシャッタ用アクチュエータ駆動回路１０１のコイル電流検出端子ＤＥＴに出力するコイル電流検出素子９と、を備える。
【０００３】
シャッタ用アクチュエータ駆動回路１０１は、ツェナーダイオード１３１と、両端がツェナーダイオード１３１と内部電源電圧ＶＣＣに接続された定電流源１３２と、ツェナーダイオード１３１と定電流源１３２の接続点と接地電位間に直列に設けられた抵抗１３３、１３４と、抵抗１３４と並列に設けられたコンデンサ１３５と、コレクタが抵抗１３３と１３４の接続点（節点Ｎ）に接続され、ベースに起動信号入力端子ＳＴから起動信号が入力され、エミッタが接地されているＮＰＮバイポーラ型のトランジスタ１３６と、非反転入力端子に節点Ｎの電圧を入力し、反転入力端子にコイル電流検出端子ＤＥＴからのコイル電流検出電圧ＶＤＥＴを入力し、その差を増幅して出力するコイル電流制御増幅器１１５と、ベースにコイル電流制御増幅器１１５の出力電圧を入力し、エミッタがコイル電流検出端子ＤＥＴに接続され、コレクタが出力端子ＯＵＴ２を介してシャッタ用アクチュエータ８の他端に接続されるＮＰＮバイポーラ型のトランジスタ１１９と、を備える。抵抗１３３、１３４とコンデンサ１３５はＣＲ積分器を構成する。また、アクチュエータ駆動用電源電圧ＶＭはそのまま出力端子ＯＵＴ１を介してシャッタ用アクチュエータ８の一端に接続される。
【０００４】
このシャッタ用アクチュエータ駆動回路１０１は、以下のように動作する。起動信号入力端子ＳＴの起動信号がローレベルになる（シャッタ用アクチュエータ装置が起動する）と、定電流源１３２の電流が抵抗１３３、１３４とコンデンサ１３５により構成されるＣＲ積分器に流れ込む。このＣＲ積分器により節点Ｎの電圧は徐々に上昇し、ツェナーダイオード１３１が生成する定電圧を抵抗１３３、１３４で分割した電圧まで上昇してその電圧を維持する。コイル電流検出電圧ＶＤＥＴは、節点Ｎの電圧に追従し、従って、コイル電流検出素子９に流れる電流、すなわちコイル電流ＩＬも追従し、上限値ＩＭＡＸまで上昇してその値を維持する。
【０００５】
シャッタ用アクチュエータ８のコイル電流ＩＬはその誘導性の性質により急激には増加しない。もしも、上記ＣＲ積分器を用いてコイル電流ＩＬの上昇を制御することをしなければ、コイル電流ＩＬがその上限値ＩＭＡＸに到達するまでに要する時間は、図５の波形ＡとＢに示すように、アクチュエータ駆動用電源電圧ＶＭの変動に伴って変動する。ここで、波形Ａはアクチュエータ駆動用電源電圧ＶＭが最大の場合、波形Ｂはアクチュエータ駆動用電源電圧ＶＭが最小の場合である。シャッタ用アクチュエータ駆動回路１０１は、コイル電流ＩＬが波形Ｂよりも少し遅れて増加するようにＣＲ積分器の定数が調整されることにより、上記時間はアクチュエータ駆動用電源電圧ＶＭの変動に影響されないものとなる。
【０００６】
【特許文献１】特開２００３−４３５５４号公報
【発明の開示】
【発明が解決しようとする課題】
【０００７】
デジタルカメラなどにおいては充電池の充電の程度によってアクチュエータ駆動用電源電圧ＶＭは変動するが、上記のシャッタ用アクチュエータ駆動回路１０１を用いたシャッタ用アクチュエータ装置では、コイル電流ＩＬがその上限値ＩＭＡＸに到達するまでに要する時間はアクチュエータ駆動用電源電圧ＶＭの変動に影響されない。従って、コイル電流ＩＬがその上限値ＩＭＡＸに到達するまでに要する時間を含むシャッタの作動に要する時間、更にはシャッタスピードをアクチュエータ駆動用電源電圧ＶＭの変動に影響されなくすることができる。
【０００８】
しかしながら、現実的には、ＣＲ積分回路の定数は温度及び経時劣化などの要因によって変化し易い。従って、ＣＲ積分回路を備えるシャッタ用アクチュエータ駆動回路１０１を用いたシャッタ用アクチュエータ装置は、現実的には、コイル電流ＩＬがその上限値ＩＭＡＸに到達するまでに要する時間も変動する。また、シャッタ用アクチュエータ駆動回路１０１を半導体集積装置に集積する場合、ＣＲ積分回路の一部又は全部が外付けとなるために、その半導体集積装置及びそれを実装したプリント基板も大きくなる。
【０００９】
本発明は、以上の事由に鑑みてなされたもので、その目的とするところは、ＣＲ積分回路を使用することなく、コイル電流がその上限値に到達するまでに要する時間の変動を低減して更に高精度にシャッタ用アクチュエータを動作させることができるシャッタ用アクチュエータ駆動回路及びそれを用いたシャッタ用アクチュエータ装置を提供することにある。
【課題を解決するための手段】
【００１０】
上記の課題を解決するために、請求項１に係るシャッタ用アクチュエータ駆動回路は、起動信号により基準クロックを分周した分周クロックのカウントを開始するカウンタと、そのカウンタの出力に対応し、徐々に階段状に増加又は減少する変換電圧を出力するＤ／Ａ変換器と、起動直後はシャッタ用アクチュエータのコイル電流の値に対応するコイル電流検出電圧とＤ／Ａ変換器の変換電圧を比較し、Ｄ／Ａ変換器の変換電圧がコイル電流の上限値に対応するコイル電流制限用基準電圧に一致した後はコイル電流検出電圧とコイル電流制限用基準電圧とを比較し、その差を増幅した電圧を出力するコイル電流制御増幅器と、コイル電流制御増幅器の増幅出力電圧に応じてシャッタ用アクチュエータの駆動電流を出力する駆動電流出力回路と、を備えてなることを特徴とする。
【００１１】
請求項２に係るシャッタ用アクチュエータ駆動回路は、請求項１に記載のシャッタ用アクチュエータ駆動回路において、前記コイル電流制御増幅器は、コイル電流検出電圧、コイル電流制限用基準電圧、Ｄ／Ａ変換器の変換電圧が入力され、コイル電流制限用基準電圧とＤ／Ａ変換器の変換電圧のいずれかとコイル電流検出電圧とを比較するものであることを特徴とする。
【００１２】
請求項３に係るシャッタ用アクチュエータ駆動回路は、請求項１に記載のシャッタ用アクチュエータ駆動回路において、前記カウンタは、コイル電流制限用基準電圧に対応する値に一致すると、Ｄ／Ａ変換器の変換電圧をコイル電流制限用基準電圧とするようにその値を保持するものであり、前記コイル電流制御増幅器は、コイル電流検出電圧とＤ／Ａ変換器の変換電圧を入力してそれらを比較するものであることを特徴とする。
【００１３】
請求項４に係るシャッタ用アクチュエータ駆動回路は、請求項１乃至３のいずれかに記載のシャッタ用アクチュエータ駆動回路において、前記カウンタに入力される分周クロックの分周比の選択を行う分周比選択回路を更に備えてなることを特徴とする。
【００１４】
請求項５に係るシャッタ用アクチュエータ装置は、請求項１乃至４のいずれかに記載のシャッタ用アクチュエータ駆動回路と、シャッタ用アクチュエータ駆動回路により駆動されシャッタを作動させるシャッタ用アクチュエータと、シャッタ用アクチュエータのコイル電流を検出して前記コイル電流検出電圧をシャッタ用アクチュエータ駆動回路に出力するコイル電流検出素子と、を備えてなることを特徴とする。
【発明の効果】
【００１５】
本発明のシャッタ用アクチュエータ駆動回路及びそれを用いたシャッタ用アクチュエータ装置は、起動後にＤ／Ａ変換器の変換電圧を用いてコイル電流を制御するので、コイル電流がその上限値に到達するまでに要する時間の変動を低減して高精度にシャッタ用アクチュエータを動作させることができ、もって、高精度にシャッタを作動させることができる。
【発明を実施するための最良の形態】
【００１６】
以下、本願発明を実施するための最良の形態であるシャッタ用アクチュエータ駆動回路及びそれを用いたシャッタ用アクチュエータ装置を説明する。図１に示すシャッタ用アクチュエータ装置は、シャッタ用アクチュエータ駆動回路１と、シャッタ用アクチュエータ駆動回路１により駆動されてシャッタ（図示せず）を作動させるシャッタ用アクチュエータ８と、シャッタ用アクチュエータ８のコイル電流ＩＬを検出してコイル電流ＩＬの値に対応するコイル電流検出電圧ＶＤＥＴをシャッタ用アクチュエータ駆動回路１のコイル電流検出端子ＤＥＴに出力するコイル電流検出素子９と、を備える。コイル電流検出素子９は具体的には抵抗である。また、シャッタ用アクチュエータは、モータの他、モータに換わってシャッタを作動させるプランジャなどが含まれる。
【００１７】
シャッタ用アクチュエータ駆動回路１は、３個の入力端子、すなわち、クロック入力端子ＣＬＫ、起動信号入力端子ＳＴ、分周信号入力端子ＤＩと、２個の出力端子ＯＵＴ１、ＯＵＴ２と、上記のコイル電流検出端子ＤＥＴと、を有する。３個の入力端子ＣＬＫ、ＳＴ、ＤＩは、１又は複数のマイクロコンピュータ等のコントローラ（図示せず）に接続されており、このコントローラよりそれぞれ基準クロック、起動信号、分周信号が入力される。クロック入力端子ＣＬＫに入力される基準クロックは、コントローラにおいて圧電振動子等の発振回路で生成されシステムクロックなどに用いられるものである。２個の出力端子ＯＵＴ１、ＯＵＴ２は、シャッタ用アクチュエータ８を接続し、そのシャッタ用アクチュエータ８に駆動電流を出力する。クロック入力端子ＣＬＫには分周回路１１が接続され、この分周回路１１は基準クロックを分周して分周クロックを出力する。分周回路１１の後段及び起動信号入力端子ＳＴにはカウンタ１２が接続され、このカウンタ１２は起動信号入力端子ＳＴからの起動信号により分周クロックのカウントを開始する。カウンタ１２の後段にはＤ／Ａ変換器（ＤＡＣ）１３が接続され、このＤ／Ａ変換器１３はカウンタ１２の出力に対応して階段状に増加する変換電圧ＶＤＡＣを出力する。Ｄ／Ａ変換器１３の後段にはコイル電流制御増幅器１５の一方の非反転入力端子が接続される。このコイル電流制御増幅器１５は、２個の非反転入力端子と１個の反転入力端子を有しており、他方の非反転入力端子にはコイル電流制限用基準電圧生成器１４、反転入力端子にはコイル電流検出端子ＤＥＴがそれぞれ接続される。このコイル電流制限用基準電圧生成器１４は、コイル電流ＩＬの上限値ＩＭＡＸに対応するコイル電流制限用基準電圧ＶＲＥＦを生成するものである。従って、コイル電流制御増幅器１５は、一方の非反転入力端子に変換電圧ＶＤＡＣ、他方の非反転入力端子にコイル電流制限用基準電圧ＶＲＥＦ、反転入力端子にコイル電流検出電圧ＶＤＥＴが、それぞれ入力され、コイル電流制限用基準電圧ＶＲＥＦ及び変換電圧ＶＤＡＣの低い方とコイル電流検出電圧ＶＤＥＴとを比較してその差を増幅した電圧を出力する。コイル電流制御増幅器１５の後段には駆動電流出力回路１６が接続され、この駆動電流出力回路１６はコイル電流制御増幅器１５の増幅出力電圧に応じてシャッタ用アクチュエータ８を駆動する駆動電流を出力端子ＯＵＴ１、ＯＵＴ２から出力する。また、シャッタ用アクチュエータ駆動回路１は、分周信号入力端子ＤＩに分周比選択回路１７を接続しており、この分周比選択回路１７は分周回路１１が出力する分周クロックの分周比の選択を行う。
【００１８】
前述した駆動電流出力回路１６は、ＮＰＮバイポーラ型のトランジスタ１９を主要構成部材とするものである。すなわち、そのコレクタにはアクチュエータ駆動用電源電圧ＶＭ、出力端子ＯＵＴ１、シャッタ用アクチュエータ８、出力端子ＯＵＴ２の順に直列に接続された出力端子ＯＵＴ２の一端が、そのエミッタにはコイル電流検出端子ＤＥＴが、そのベースにはコイル電流制御増幅器１５の出力端子が、それぞれ接続してある。この駆動電流出力回路１６は、ベースに入力されるコイル電流制御増幅器１５の増幅出力電圧により制御されて駆動電流、すなわち、コイル電流ＩＬを制御し、シャッタを閉じるよう一方向にシャッタ用アクチュエータ８を駆動する。
【００１９】
次に、シャッタ用アクチュエータ駆動回路１の動作について図２の波形図に基づいて説明する。波形Ｃは、起動信号入力端子ＳＴに起動信号が入力されてこのシャッタ用アクチュエータ駆動回路１が起動してからのシャッタ用アクチュエータ８のコイル電流ＩＬを示している。波形Ｄは分周クロックの分周比を波形Ｃの２倍とした場合のものである。また、破線で示した波形Ａと波形Ｂは、図５の波形Ａと波形Ｂと同じもの、すなわち起動後に徐々に増加する変換電圧ＶＤＡＣを出力するＤ／Ａ変換器１３を用いずに常にコイル電流制御増幅器１５においてコイル電流制限用基準電圧ＶＲＥＦとコイル電流検出電圧ＶＤＥＴが比較されるようにした場合のコイル電流ＩＬを示したものである。波形Ａはアクチュエータ駆動用電源電圧ＶＭが最大の場合、波形Ｂはアクチュエータ駆動用電源電圧ＶＭが最小の場合である。
【００２０】
シャッタ用アクチュエータ駆動回路１が起動する前、すなわち、起動信号入力端子ＳＴに起動信号が入力される前は、カウンタ１２は初期状態でありＤ／Ａ変換器１３の変換電圧ＶＤＡＣは０である。従って、コイル電流検出素子９に流れる電流、すなわちシャッタ用アクチュエータ８のコイル電流ＩＬは０である。図外のコントローラからシャッタを作動させるよう起動信号入力端子ＳＴに起動信号が入力されると、カウンタ１２はカウントを開始する。Ｄ／Ａ変換器１３は、カウンタ１２の出力に対応して階段状に徐々に増加する変換電圧ＶＤＡＣを出力する。この起動直後は、コイル電流制御増幅器１５では、変換電圧ＶＤＡＣがコイル電流制限用基準電圧ＶＲＥＦよりも低いので、変換電圧ＶＤＡＣとコイル電流検出電圧ＶＤＥＴとが比較される。従って、コイル電流検出電圧ＶＤＥＴは変換電圧ＶＤＡＣに追従して増加し、それに伴いコイル電流ＩＬが、波形Ｃに示すように、階段状に増加する。
【００２１】
Ｄ／Ａ変換器１３の変換電圧ＶＤＡＣが更に増加してコイル電流制限用基準電圧ＶＲＥＦに一致した後は、コイル電流制限用基準電圧ＶＲＥＦが変換電圧ＶＤＡＣよりも低いので、コイル電流制限用基準電圧ＶＲＥＦとコイル電流検出電圧ＶＤＥＴとが比較される。その結果、コイル電流検出素子９に流れる電流、すなわちシャッタ用アクチュエータ８のコイル電流ＩＬは上限値ＩＭＡＸを維持することになる。
【００２２】
ところで、Ｄ／Ａ変換器１３を用いない場合、コイル電流ＩＬがその上限値ＩＭＡＸに到達するまでに要する時間は、波形ＡとＢに示すように、アクチュエータ駆動用電源電圧ＶＭの変動に伴って変動する。このシャッタ用アクチュエータ駆動回路１は、波形Ｃに示すように、コイル電流ＩＬが波形Ｂよりも少し遅れて増加するように、Ｄ／Ａ変換器１３の変換電圧ＶＤＡＣを増加させる。それにより、波形Ｃはアクチュエータ駆動用電源電圧ＶＭの変動に影響されないものとなる。もし、変換電圧ＶＤＡＣを波形Ｂよりも早く増加させると、アクチュエータ駆動用電源電圧ＶＭが最小の場合、コイル電流ＩＬは変換電圧ＶＤＡＣにすぐには追従できないので、コイル電流ＩＬがその上限値ＩＭＡＸに到達するまでに要する時間はアクチュエータ駆動用電源電圧ＶＭの変動に伴って変動するものとなる。
【００２３】
Ｄ／Ａ変換器１３の変換電圧ＶＤＡＣの増加率は分周回路１１が出力する分周クロックの分周比を選択することによって必要に応じて調整される。すなわち、例えば、分周クロックの周期が波形Ｃの場合の２倍となるように分周比を変えると、波形Ｄに示すようにコイル電流ＩＬの増加率は１／２に低くなる。なお、分周比が１の場合は基準クロックが分周クロックである。その場合、カウンタ１２に入力されるのは基準クロックとなる。
【００２４】
また、この基準クロックは、前述のように、圧電振動子等の発振回路で生成されたものが入力されるので精度が良く、温度及び経時劣化などの要因によって精度の変化も少ない。従って、コイル電流ＩＬがその上限値ＩＭＡＸに到達するまでに要する時間がアクチュエータ駆動用電源電圧の変動に影響されない上に、温度及び経時劣化などの要因の影響も少なく、高精度にシャッタ用アクチュエータを動作させることができ、もって、高精度にシャッタを作動させることができる。
【００２５】
次に、本発明の別の実施形態であるシャッタ用アクチュエータ駆動回路及びそれを用いたシャッタ用アクチュエータ装置を説明する。図３に示すシャッタ用アクチュエータ装置は、シャッタ用アクチュエータ駆動回路１に換えてシャッタ用アクチュエータ駆動回路２を備える。このシャッタ用アクチュエータ駆動回路２は、シャッタ用アクチュエータ駆動回路１におけるカウンタ１２、コイル電流制御増幅器１５に換えてカウンタ２２、コイル電流制御増幅器２５を備える。このカウンタ２２は、コイル電流制限用基準電圧ＶＲＥＦに対応する値（デジタル値）に一致すると、Ｄ／Ａ変換器１３の変換電圧ＶＤＡＣをコイル電流制限用基準電圧ＶＲＥＦとするようにその値を保持する。また、コイル電流制御増幅器２５は、コイル電流検出電圧ＶＤＥＴと変換電圧ＶＤＡＣを入力してそれらを比較する。この構成により、コイル電流制御増幅器２５は、起動直後はコイル電流検出電圧ＶＤＥＴと変換電圧ＶＤＡＣを比較し、変換電圧ＶＤＡＣがコイル電流制限用基準電圧ＶＲＥＦに一致した後はコイル電流検出電圧ＶＤＥＴとコイル電流制限用基準電圧ＶＲＥＦとを比較することになる。
【００２６】
このシャッタ用アクチュエータ駆動回路２は、アナログ値であるコイル電流制限用基準電圧ＶＲＥＦを生成するコイル電流制限用基準電圧生成器１４を必要とせず、また、コイル電流制御増幅器２５は非反転入力端子が１個であるので、回路規模を小さくすることができる。
【００２７】
また、シャッタ用アクチュエータ駆動回路１、２を用いたシャッタ用アクチュエータ装置では、コイル電流検出素子９は接地電位側に設けられているが、これをアクチュエータ駆動用電源電圧ＶＭ側に設けることも可能である。この場合、シャッタ用アクチュエータ駆動回路１、２において、ＮＰＮバイポーラ型のトランジスタ１９はＰＮＰバイポーラ型のトランジスタとし、Ｄ／Ａ変換器１３は起動後に徐々に減少する電圧を出力するようにする。
【００２８】
以上、本発明の実施形態であるシャッタ用アクチュエータ駆動回路及びそれを用いたシャッタ用アクチュエータ装置について説明したが、本発明は、実施形態に記載したものに限られることなく、特許請求の範囲に記載した事項の範囲内でのさまざまな設計変更が可能である。例えば、駆動電流出力回路１６は、シャッタを閉じるよう１方向にシャッタ用アクチュエータ８を駆動するものであるが、Ｈブリッジ構成とすることでシャッタを閉じ又開くよう２方向にシャッタ用アクチュエータ８を駆動することも可能である。また、分周回路１１が出力する分周クロックの分周比を固定にするのならば、分周信号入力端子ＤＩや分周比選択回路１７が省略できる。更に、ＮＰＮバイポーラ型のトランジスタはＮＭＯＳ型、ＰＮＰバイポーラ型のトランジスタはＰＭＯＳ型に置き換えることができるのは勿論である。
【図面の簡単な説明】
【００２９】
【図１】本発明の実施形態に係るシャッタ用アクチュエータ装置の回路図。
【図２】同上の起動後の波形図。
【図３】本発明の別の実施形態に係るシャッタ用アクチュエータ装置の回路図。
【図４】背景技術のシャッタ用アクチュエータ装置の回路図。
【図５】同上の波形を説明するための波形図。
【符号の説明】
【００３０】
１、２  シャッタ用アクチュエータ駆動回路
８  シャッタ用アクチュエータ
９  コイル電流検出素子
１２  カウンタ
１３  Ｄ／Ａ変換器
１５  コイル電流制御増幅器
１６  駆動電流出力回路
１７  分周比選択回路
ＳＴ  起動信号入力端子
ＣＬＫ  クロック入力端子
ＤＩ  分周信号入力端子
ＤＥＴ  コイル電流検出端子
ＩＬ      コイル電流
ＶＲＥＦ  コイル電流制限用基準電圧
ＶＤＥＴ  コイル電流検出電圧
ＶＤＡＣ  Ｄ／Ａ変換器の変換電圧
【図１】
2005352430.tif 000003
【図２】
2005352430.tif 000004
【図３】
2005352430.tif 000005
【図４】
2005352430.tif 000006
【図５】
2005352430.tif 000007